(57)【要約】  【課題】  空気調和機のような電気機器の内部構成、ＥＥＰＲＯＭのような記憶素子に記憶してある空気調和機の設定値等を、空気調和機の組み立て後に外部から確認することができる検査用通信システム及び電気機器を提供する。  【解決手段】  空気調和機１が、各種スイッチ、各種センサ等の有無のような空気調和機１自身の構成を示す構成データと、温度、湿度等の空気調和機１がそれに従って作動すべき設定データとを記憶素子１５に記憶してあり、構成データと設定データとを含む検査対象データを通信装置２へ送信し、通信装置２が、受信した検査対象データを表示部２３に表示する。【選択図】      図２
2006226612.tif 000002
【特許請求の範囲】
【請求項１】
検査すべき電気機器、及び、該電気機器と通信し、表示部を有する通信装置を備える検査用通信システムであって、
前記電気機器は、
該電気機器の構成を示す構成データ及び／又は前記電気機器がそれに従って作動すべき設定データを含む検査対象データを記憶する記憶手段と、
該記憶手段が記憶している検査対象データを前記通信装置へ送信する送信手段と
を備え、
前記通信装置は、
受信した検査対象データを前記表示部に表示するようにしてあることを特徴とする検査用通信システム。
【請求項２】
前記通信装置は、
受信した検査対象データを記憶する記憶部を備えることを特徴とする請求項１に記載の検査用通信システム。
【請求項３】
検査すべき電気機器、及び、該電気機器と通信し、記憶部を有する通信装置を備える検査用通信システムであって、
前記記憶部は、機器の構成を示す構成データ及び／又は機器がそれに従って作動すべき設定データを含む検査基準データを記憶してあり、
前記通信装置は、
前記記憶部に記憶してある検査基準データを前記電気機器へ送信するデータ送信手段を備え、
前記電気機器は、
該電気機器の構成を示す構成データ及び／又は前記電気機器がそれに従って作動すべき設定データを含む検査対象データ、及び受信した検査基準データを比較する比較手段と、
該比較手段が比較した比較結果を出力する出力手段と
を備えることを特徴とする検査用通信システム。
【請求項４】
前記出力手段は、前記比較結果を前記通信装置へ出力するようにしてあり、
前記通信装置は、入力された比較結果を表示する表示部を備えることを特徴とする請求項３に記載の検査用通信システム。
【請求項５】
前記電気機器は、空気調和機であることを特徴とする請求項１乃至４の何れかひとつに記載の検査用通信システム。
【請求項６】
自身の構成を示す構成データ及び／又は自身がそれに従って作動すべき設定データを含む検査対象データを記憶する記憶手段と、
該記憶手段が記憶している検査対象データを外部へ送信する送信手段と
を備えることを特徴とする電気機器。
【請求項７】
機器の構成を示す構成データ及び／又は機器がそれに従って作動すべき設定データを含む検査基準データを受信する電気機器であって、
自身の構成を示す構成データ及び／又は自身がそれに従って作動すべき設定データを含む検査対象データ、及び受信した検査基準データを比較する比較手段と、
該比較手段が比較した比較結果を出力する出力手段と
を備えることを特徴とする電気機器。
【発明の詳細な説明】
【技術分野】
【０００１】
本発明は、空気調和機のような電気機器の検査を行なうためにデータを送受信する検査用通信システム及び電気機器に関する。
【背景技術】
【０００２】
空気調和機は、マイクロプロセッサを用いてなる制御部、及びＥＥＰＲＯＭのような記憶素子が搭載してある制御基板を備える。
【０００３】
高級／中級／低級モデル等、種類が異なる空気調和機が夫々備える制御基板、マイクロプロセッサ等を共通化させるために、記憶素子には、空気調和機の種類に応じた設定データが記憶してある。空気調和機の製造作業者は、空気調和機の種類に応じた記憶素子を制御基板に接続し、制御部は、記憶素子に記憶してある設定データに従って空気調和機の各部を制御する。
【０００４】
また、記憶素子の種類数を更に低減させるために、空気調和機が、設定データを選択するための選択スイッチを制御基板に備え、記憶素子には、選択スイッチのオン／オフに関連付けて、複数の種類夫々に応じた設定データが記憶してある。空気調和機の製造作業者は、記憶素子を制御基板に接続し、空気調和機の種類に応じて選択スイッチのオン／オフを切り換え、制御部は、選択スイッチのオン／オフに関連付けて記憶素子に記憶してある設定データに従って空気調和機の各部を制御する。
【０００５】
更に、空気調和機は、ＬＥＤのような表示素子を複数備えている。表示素子は、点灯、消灯、点滅のパターン等によって、所定の情報を表示する。
【０００６】
従来、空気調和機の組み立て完了後に、空気調和機の種類に応じた制御基板、記憶素子等が空気調和機に備えられているか否か、選択スイッチの切り換えが空気調和機の種類に対応しているか否か等の検査を行なう場合、制御基板、選択スイッチ等の検査対象の情報は表示素子に表示されていた。また、空気調和機に、温度センサ、湿度センサ等、必要なセンサが空気調和機の種類に応じて接続されているか否か、記憶素子に記憶してある設定データの正否等の検査を行なう場合も、検査対象の情報は表示素子に表示されていた。
【０００７】
更に、空気調和機の検査作業者は、表示素子に表示された検査対象の情報を視認して、検査対象の正否を判断していた。
【特許文献１】特開平６−２２１６５３号公報
【発明の開示】
【発明が解決しようとする課題】
【０００８】
しかしながら、表示素子は、点滅、発光の強弱等で情報を表示するため、表示可能な情報量が少ないという問題があった。
【０００９】
また、空気調和機の表示素子の個数が、検査対象の情報の個数に比べて少ない場合、空気調和機の検査作業者が、同時的に多量の情報を表示させて検査することができず、検査に必要な時間が長くなるという問題もあった。このため、将来的に、検査対象及び検査対象の情報が増加する場合、検査時間が更に長くなるという問題もあった。
【００１０】
これらの問題を解決するために、空気調和機に、多量の情報を表示可能な表示部を設けることが考えられる。しかしながら、表示部を備える分だけ空気調和機は大型化し、また、コストが増大する。更に、空気調和機に備えられた表示部は、検査時以外には使用する必要がないため、特に空気調和機のユーザにとって、このような表示部は無駄である。
【００１１】
本発明は斯かる事情に鑑みてなされたものであり、空気調和機のような検査すべき電気機器の検査対象データを、電気機器から電気機器外部の通信装置へ送信し、通信装置の表示部に表示する構成とすることにより、検査作業者が、多量の検査対象データを同時的に視認でき、しかも電気機器に表示部を設ける必要がない検査用通信システム及び電気機器を提供することを目的とする。
【００１２】
本発明の他の目的は、通信装置の記憶部が、受信した検査対象データを記憶する構成とすることにより、検査作業者が、検査対象データを繰り返し視認できる検査用通信システムを提供することにある。
【００１３】
本発明の他の目的は、検査すべき電気機器の検査対象データと比較すべき検査基準データを、電気機器外部の通信装置から電気機器へ送信し、電気機器の制御部が、検査対象データと受信した検査基準データとを比較して、比較結果を出力する構成とすることにより、検査作業者の検査工程を減少させることができる検査用通信システム及び電気機器を提供することにある。
【００１４】
本発明の他の目的は、検査対象データと検査基準データとを比較した比較結果を、電気機器から電気機器外部の通信装置へ送信し、通信装置の表示部に表示する構成とすることにより、検査作業者が、多量の比較結果を同時的に視認でき、しかも電気機器に表示部を設ける必要がない検査用通信システムを提供することにある。
【００１５】
本発明の更に他の目的は、電気機器として、空気調和機を備えることにより、空気調和機の検査効率を向上させることができる検査用通信システムを提供することにある。
【課題を解決するための手段】
【００１６】
本発明に係る検査用通信システムは、検査すべき電気機器、及び、該電気機器と通信し、表示部を有する通信装置を備える検査用通信システムであって、前記電気機器は、該電気機器の構成を示す構成データ及び／又は前記電気機器がそれに従って作動すべき設定データを含む検査対象データを記憶する記憶手段と、該記憶手段が記憶している検査対象データを前記通信装置へ送信する送信手段とを備え、前記通信装置は、受信した検査対象データを前記表示部に表示するようにしてあることを特徴とする。
【００１７】
本発明に係る検査用通信システムは、前記通信装置は、受信した検査対象データを記憶する記憶部を備えることを特徴とする。
【００１８】
本発明に係る検査用通信システムは、検査すべき電気機器、及び、該電気機器と通信し、記憶部を有する通信装置を備える検査用通信システムであって、前記記憶部は、機器の構成を示す構成データ及び／又は機器がそれに従って作動すべき設定データを含む検査基準データを記憶してあり、前記通信装置は、前記記憶部に記憶してある検査基準データを前記電気機器へ送信するデータ送信手段を備え、前記電気機器は、該電気機器の構成を示す構成データ及び／又は前記電気機器がそれに従って作動すべき設定データを含む検査対象データ、及び受信した検査基準データを比較する比較手段と、該比較手段が比較した比較結果を出力する出力手段とを備えることを特徴とする。
【００１９】
本発明に係る検査用通信システムは、前記出力手段は、前記比較結果を前記通信装置へ出力するようにしてあり、前記通信装置は、入力された比較結果を表示する表示部を備えることを特徴とする。
【００２０】
本発明に係る検査用通信システムは、前記電気機器は、空気調和機であることを特徴とする。
【００２１】
本発明に係る電気機器は、自身の構成を示す構成データ及び／又は自身がそれに従って作動すべき設定データを含む検査対象データを記憶する記憶手段と、該記憶手段が記憶している検査対象データを外部へ送信する送信手段とを備えることを特徴とする。
【００２２】
本発明に係る電気機器は、機器の構成を示す構成データ及び／又は機器がそれに従って作動すべき設定データを含む検査基準データを受信する電気機器であって、自身の構成を示す構成データ及び／又は自身がそれに従って作動すべき設定データを含む検査対象データ、及び受信した検査基準データを比較する比較手段と、該比較手段が比較した比較結果を出力する出力手段とを備えることを特徴とする。
【００２３】
本発明にあっては、検査すべき電気機器、例えば検査すべき空気調和機の送信手段が、検査対象データを通信装置へ送信する。送信すべき検査対象データは、例えば、空気調和機が備える記憶素子に予め記憶してあるか、又は、空気調和機が備える制御部が、空気調和機の各部の有無、状態等に応じて生成する。このような検査対象データは、制御基板、記憶素子、センサ等の有無又は種類、選択スイッチのオン／オフ等のような、空気調和機自身の構成を示す構成データ、及び／又は、記憶素子に記憶してある設定値、複数の設定値の内、選択スイッチのオン／オフによって選択されている設定値等のような、空気調和機自身がそれに従って作動すべき設定データを含む。
【００２４】
通信装置は、空気調和機から送信された検査対象データを受信し、受信した検査対象データを表示部に表示する。このような表示部は、多量の検査対象データが同時的に表示可能であるように、ＣＲＴ、液晶パネル等を用いて構成される。
【００２５】
検査作業者は、通信装置の表示部に表示された検査対象データに基づいて、検査対象の正否を判断する。
【００２６】
例えば、所定の仕様の設定データが記憶されている記憶素子を備えている必要がある空気調和機の検査対象データを表示部に表示させ、表示された検査対象データが、所定の仕様の設定データと同じ設定データを含んでいる場合、検査作業者は、空気調和機が正しい記憶素子を備えていると判断する。また、温度センサを備えている必要がある空気調和機の検査対象データを表示部に表示させ、表示された検査対象データが、温度センサがないことを示す構成データを含んでいる場合、検査作業者は、空気調和機が温度センサを備えていないと判断する。
【００２７】
本発明にあっては、通信装置が、空気調和機から送信された検査対象データを受信し、受信された検査対象データを、記憶部が記憶する。表示部は、受信された検査対象データを、受信した直後に表示し、又は、記憶部から読み出して表示する。
【００２８】
本発明にあっては、検査すべき電気機器、例えば検査すべき空気調和機へ、通信装置のデータ送信手段が検査基準データを送信する。送信すべき検査基準データは、通信装置が備える記憶部に予め記憶してある。このような検査基準データは、制御基板、記憶素子、センサ等の有無又は種類、選択スイッチのオン／オフ等のような、機器、即ち所要の空気調和機の構成を示す構成データ、及び／又は、空気調和機が備える記憶素子に記憶してある設定値、複数の設定値の内、選択スイッチのオン／オフによって選択されている設定値等のような、所要の空気調和機がそれに従って作動すべき設定データを含む。
【００２９】
空気調和機は、通信装置から送信された検査基準データを受信し、空気調和機の比較手段が、検査対象データと、受信した検査基準データとを比較する。比較手段は、例えば空気調和機が備える制御部である。
【００３０】
検査基準データと比較すべき検査対象データは、例えば、空気調和機が備える記憶素子に予め記憶してあるか、又は、空気調和機が備える制御部が、空気調和機の各部の有無、状態等に応じて生成する。このような検査対象データは、制御基板、記憶素子、センサ等の有無又は種類、選択スイッチのオン／オフ等のような、空気調和機自身の構成を示す構成データ、及び／又は、記憶素子に記憶してある設定値、複数の設定値の内、選択スイッチのオン／オフによって選択されている設定値等のような、空気調和機自身がそれに従って作動すべき設定データを含む。
【００３１】
また、空気調和機の出力手段が、比較手段が比較した比較結果を出力する。例えば、出力手段は、比較結果を通信装置へ出力するか、又は、空気調和機が備える表示素子に出力する。
【００３２】
検査作業者は、空気調和機の出力手段が出力した比較結果に基づいて、検査対象の正否を判断する。
【００３３】
例えば、所定の仕様の設定データが記憶されている記憶素子を備えている必要がある空気調和機の検査基準データは、所定の仕様の設定データを含んでいる。一方、所定の仕様の設定データが記憶されている記憶素子を備えている空気調和機の検査対象データは、所定の仕様の設定データを含んでいる。空気調和機の出力手段が出力した比較結果が、検査対象データと検査基準データとが一致しているという比較結果であった場合、検査作業者は、空気調和機が正しい記憶素子を備えていると判断する。
【００３４】
また、温度センサを備えている必要がある空気調和機の検査基準データは、温度センサがあることを示す構成データを含んでいる。一方、温度センサを備えていない空気調和機の検査対象データは、温度センサがないことを示す構成データを含んでいる。空気調和機の出力手段が出力した比較結果が、検査対象データと検査基準データとが異なるという比較結果であった場合、検査作業者は、空気調和機が温度センサを備えていないと判断する。
【００３５】
本発明にあっては、空気調和機が、通信装置から送信された検査基準データを受信し、比較手段が、検査対象データと受信した検査基準データとを比較し、出力手段が、比較手段が比較した比較結果を通信装置へ出力する。通信装置は、入力された比較結果を表示部に表示する。このような表示部は、多量の比較結果が同時的に表示可能であるように、ＣＲＴ、液晶パネル等を用いて構成される。
【００３６】
検査作業者は、通信装置の表示部に表示された比較結果に基づいて、検査対象の正否を判断する。
【発明の効果】
【００３７】
本発明の検査用通信システムによれば、通信装置の表示部に、電気機器から送信された電気機器の検査対象データを表示させることができる。また、ＣＲＴ、液晶パネル等を用いて、多量の検査対象データが同時的に表示可能な表示部を構成することができ、表示部は、ＬＥＤのような表示素子に比べて、表示可能な情報量が多い。
【００３８】
以上のことから、表示部を用いて、検査作業者が、多量の検査対象データを同時的に視認することができる。この結果、検査作業者による検査効率を向上させることができる。
【００３９】
更に、電気機器外部の通信装置が表示部を備えるため、電気機器に表示部を設ける必要がなく、電気機器の大型化、及びコストの増大を防止することができる。更に、電気機器の検査完了後は、電気機器のみを出荷すれば良いため、電気機器のユーザが、不要な通信装置を管理する必要がなく、更にまた、一の電気機器の検査に用いた通信装置を他の電気機器の検査に用いることができる。
【００４０】
このような検査用通信システムが備える電気機器としては、特に、表示可能な情報量が多い表示部を一般的に備えていない電気機器、例えば空気調和機が好適である。
【００４１】
本発明の検査用通信システムによれば、通信装置の表示部に、電気機器から受信して通信装置の記憶部に記憶した電気機器の検査対象データを表示させることができる。このため、検査作業者は、通信装置の記憶部に記憶してある検査対象データを繰り返し視認することができる。また、通信装置の表示部における検査対象データの表示を、検査対象データの受信直後に行なう必要がないため、検査作業者は、電気機器の製造現場の状況、検査の手順等に応じて、任意のタイミングで検査を行なうことができる。この結果、検査作業者の利便性が向上される。更に、検査対象データの保存も容易である。
【００４２】
本発明の検査用通信システムによれば、電気機器が、検査対象データと、通信装置から受信した検査基準データとを比較し、比較結果を出力することができる。このため、検査作業者は、例えば通信装置の表示部に表示された検査対象データと、検査基準データとを検査作業者自身が比較して、比較結果に応じて検査対象の正否を判断する必要がなく、電気機器が出力した比較結果に応じて検査対象の正否を判断することができる。この結果、検査作業者の検査工程を減少させることができ、検査作業者の利便性、及び検査精度を向上させることができる。
【００４３】
また、電気機器の検査完了後は、電気機器のみを出荷すれば良いため、電気機器のユーザが、不要な通信装置を管理する必要がなく、更に、検査作業者は、一の電気機器の検査に用いた通信装置を他の電気機器の検査に用いることができる。
【００４４】
更にまた、検査基準データは通信装置が電気機器へ送信するため、電気機器が検査基準データを予め記憶しておく必要がない。このため、電気機器が備える記憶素子の記憶容量を検査基準データの分だけ増大させる必要がなく、また、検査基準データを予め記憶してある記憶素子を電気機器の個数分だけ準備する必要もない。
【００４５】
本発明の検査用通信システムによれば、通信装置の表示部に、電気機器から出力された比較結果を表示させることができる。また、ＣＲＴ、液晶パネル等を用いて、多量の比較結果が同時的に表示可能な表示部を構成することができ、表示部は、ＬＥＤのような表示素子に比べて、表示可能な情報量が多い。
【００４６】
以上のことから、表示部を用いて、検査作業者が、多量の比較結果を同時的に視認することができる。この結果、検査作業者による検査効率を向上させることができる。
【００４７】
また、電気機器外部の通信装置が表示部を備えるため、電気機器に表示部を設ける必要がなく、電気機器の大型化、及びコストの増大を防止することができる。
【００４８】
このような検査用通信システムが備える電気機器としては、特に、表示可能な情報量が多い表示部を一般的に備えていない電気機器、例えば空気調和機が好適である。
【００４９】
本発明の電気機器によれば、検査対象データを外部へ送信することができる。このため、電気機器は、本発明の検査用通信システムを構成することができ、また、検査対象データを表示する表示部を備える必要がない。
【００５０】
本発明の電気機器によれば、検査対象データと、外部から受信した検査基準データとを比較し、比較結果を、外部のディスプレイ又はプリンタ、内部の表示素子等に出力することができる。このため、電気機器は、本発明の検査用通信システムを構成することができ、また、検査対象データを記憶する記憶部を備える必要がない。
【発明を実施するための最良の形態】
【００５１】
以下、本発明を、空気調和機に適用した場合の実施の形態を示す図面に基づいて詳述する。
【００５２】
実施の形態  １．
図１は、本発明の実施の形態１に係る検査用通信システム５の構成を説明する模式図であり、図２は、検査用通信システム５の構成を示すブロック図である。検査用通信システム５は、検査すべき空気調和機１と、通信装置２とを備える。
【００５３】
通信装置２は、液晶パネルを用いてなる矩形の表示部２３、及び表示部２３の周縁に嵌合する枠体２６を備える。また、枠体２６の内部には、ＣＰＵ２０、ＲＯＭ２１、ＲＡＭ２２等が設けられている。
【００５４】
ＣＰＵ２０は通信装置２の制御中枢であり、バス又は信号線を介して、ＲＯＭ２１、ＲＡＭ２２等、通信装置２の各部に接続されている。ＣＰＵ２０はＲＯＭ２１に記憶された制御プログラム及びデータに従って各部を制御し、ＲＡＭ２２を作業領域として用いて各種処理を実行する。
【００５５】
通信装置２の操作部２４は、枠体２６に設けられた方向キーを含む各種のハードキーを備え、これらのハードキーが操作された場合、夫々異なる操作信号をＣＰＵ２０へ出力する。ＲＯＭ２１には、操作部２４からＣＰＵ２０に入力される操作信号と、空気調和機１を検査する検査作業者が通信装置２に入力する作動命令とが関連付けて記憶してあり、ＣＰＵ２０は、操作部２４から操作信号が入力された場合、入力された操作信号に関連付けてＲＯＭ２１に記憶してある作動命令に従って各部を制御する。
【００５６】
通信装置２のＩ／Ｆ２５は、通信ケーブル６を介して通信装置２と空気調和機１とを接続するインタフェースである。つまり、通信装置２は有線で空気調和機１に接続されている。ＣＰＵ２０は、Ｉ／Ｆ２５を介して、空気調和機１から送信された検査対象データ（後述）を受信する。受信した検査対象データは、ＲＡＭ２２に記憶され、ＲＡＭ２２に記憶された検査対象データが読み出されて、表示部２３に表示される。ここで、表示部２３に、ＲＡＭ２２に記憶してある検査対象データを全て表示することができない場合、操作部２４におけるキー操作に応じて、表示部２３にて検査対象データがスクロール表示される。
【００５７】
空気調和機１は、暖房、冷房、除湿、空気清浄等の機能を少なくとも１つ有し、温度を上昇又は下降させた空気、湿度を低減させた空気、又は、埃、煙等を除去した空気等を送風口１ａから室内へ送風する送風部１１を備える。
【００５８】
また、空気調和機１は、マイクロプロセッサを用いてなる制御部１０を備える。制御部１０は空気調和機１の制御中枢であり、バス又は信号線を介して、送風部１１、風向板駆動部１２等、空気調和機１の各部に接続されている。制御部１０は、図示しないＲＯＭ及び／又は後述する記憶素子１５に記憶された制御プログラム及びデータに従って各部を制御し、図示しないＲＡＭを作業領域として用いて各種処理を実行する。例えば、制御部１０は、記憶素子１５に記憶してある室内の温度及び湿度夫々の設定値、風量の設定値等に基づいて、送風部１１を制御し、空気調和処理を実行する。
【００５９】
空気調和機１は、送風口１ａから室内へ送風される空気の風向を決定する風向板１２０を送風口１ａに備え、更に、風向板１２０の角度を変更することによって風向を変更する風向板駆動部１２を備える。制御部１０は、記憶素子１５に記憶してある風向板１２０の角度の設定値に基づいて、風向板駆動部１２を制御し、空気調和処理を実行する。
【００６０】
表示素子１３，１３，…は夫々ＬＥＤを用いてなり、空気調和機１のユーザが視認しやすいように、空気調和機１の正面に配されている。制御部１０は、空気調和機１の作動状態を表示素子１３，１３，…に表示させる。例えば制御部１０は、空気調和機１が運転されている場合は所定の表示素子１３を点灯させ、運転されていない場合は消灯させる。また、制御部１０は、後述するセンサ部１６が備える汚れセンサが検出した室内の空気の汚れの度合いに応じて、所定の個数だけ表示素子１３，１３，…を点灯させる。
【００６１】
空気調和機１のＩ／Ｆ１４は、通信ケーブル６を介して空気調和機１と通信装置２とを接続するインタフェースである。制御部１０は、Ｉ／Ｆ１４を介して、記憶素子１５に記憶してある検査対象データを送信する。
【００６２】
記憶素子１５は、ＥＥＰＲＯＭを用いてなる。以下では、互いに異なる仕様の複数種類の空気調和機１，１，…の間で記憶素子１５，１５，…を共通化させるために、記憶素子１５に、第１仕様の空気調和機１がそれに従って作動すべき設定データ、第２仕様の空気調和機１がそれに従って作動すべき設定データ、及び第３仕様の空気調和機１がそれに従って作動すべき設定データが予め記憶してある場合を例示する。第１仕様、第２仕様、第３仕様は、例えば、いわゆる高級モデル、中級モデル、低級モデルである。また、以下では、第１仕様（第２仕様、第３仕様）の空気調和機１がそれに従って作動すべき設定データを、第１仕様用（第２仕様用、第３仕様用）の設定データという。各設定データは、風向板１２０の角度の設定値、室内の温度及び湿度夫々の設定値、風量の設定値等を含んでいる。
【００６３】
センサ部１６は、室内の温度、湿度、汚れの度合い等を検出する温度センサ、湿度センサ、汚れセンサ等を備え、各種センサは、検出した室内の温度、湿度、汚れの度合い等の検出信号を制御部１０へ出力する。制御部１０は、入力された検出信号に基づいて、送風口１ａから室内へ送風される空気の温度、湿度、風量等を維持／変更するよう送風部１１を制御する。
【００６４】
スイッチ部１７は、空気調和機１の機能を設定するための設定スイッチ、記憶素子１５に記憶してある複数種類の設定データの内、１種類の設定データを選択するための選択スイッチ等、複数のスイッチを備え、各スイッチは、オン状態である場合に、オン状態であることを示すオン信号を制御部１０へ出力し、オフ状態である場合にはオフ信号を出力する。各設定スイッチと空気調和機１の機能との対応、各選択スイッチと設定データとの対応等は、予め記憶素子１５に記憶してある。
【００６５】
例えば制御部１０は、スイッチ部１７から、第１仕様用の設定データに対応する選択スイッチが出力するオン信号が入力されており、第２仕様用の設定データ及び第３仕様用の設定データに夫々対応する選択スイッチが出力するオフ信号が入力されている場合、記憶素子１５に記憶してある第１仕様用の設定データを読み出して、読み出した設定データに基づいて、送風部１１、風向板駆動部１２等を制御する。また、制御部１０は、スイッチ部１７から、冷暖房及び除湿に夫々対応する設定スイッチが出力するオン信号が入力されており、空気清浄に対応する設定スイッチが出力するオフ信号が入力されている場合、設定データの内、冷暖房及び除湿に夫々関連する設定値を用い、空気清浄に関連する設定値は用いずに、送風部１１、風向板駆動部１２等を制御する。
【００６６】
操作部１８は、例えば、操作信号を送信するリモートコントローラ（以下、リモコン）と、操作信号を受信して、受信した操作信号を制御部１０に入力する受信部とで構成されている。空気調和機１の検査作業者は、リモコンが備える液晶表示部を視認しながらリモコンが備える各種のハードキーを操作して、空気調和機１に作動命令を入力する。制御部１０は、入力された操作信号に関連付けられてＲＯＭに記憶してある作動命令に従って、各部を制御する。
【００６７】
図３は、空気調和機１の記憶素子１５に記憶してある検査対象データの一例を示す概念図である。
【００６８】
検査作業者は、空気調和機１の組み立て完了後、空気調和機１に通信装置２を接続し、空気調和機１及び通信装置２の電源をオン状態にして、空気調和機１の操作部１８を用い、検査開始命令を空気調和機１に入力する。検査開始命令の入力は、例えば、空気調和機１のテストモードで行なう。
【００６９】
検査開始命令が入力された場合、制御部１０は、センサ部１６から入力される検出信号に基づいて、センサ部１６が備えるべきセンサの有無、及びセンサ部１６が備えているセンサの種類を判定し、判定結果に基づいて、センサの有無及び種類に関する空気調和機１の構成データを生成し、記憶素子１５に記憶する。
【００７０】
同様に、制御部１０は、スイッチ部１７から入力されるオン信号及び／又はオフ信号に基づいて、スイッチ部１７が備えるべきスイッチの有無を判定し、判定結果に基づいて、スイッチの有無に関する構成データを生成し、記憶素子１５に記憶する。また、スイッチ部１７から入力されるオン信号及び／又はオフ信号に基づいて、記憶素子１５に予め記憶してある設定データの内、使用すべき設定データの種類を判定し、判定結果に基づいて、予め記憶してある設定データの選択に関する空気調和機１の設定データを生成し、記憶素子１５に記憶する。
【００７１】
なお、制御部１０は、制御部１０、センサ部１６、スイッチ部１７等が備えられている制御基板、記憶素子１５を含む各部の有無及び／又は種類を判定し、判定結果に基づいて、空気調和機１の構成データを生成し、記憶素子１５に記憶しても良い。
【００７２】
更に、制御部１０は、記憶素子１５に予め記憶してある設定データ、並びに、生成した構成データ及び設定データを用いて、図３に示すような所定のフォーマットを有する検査対象データを生成して、記憶素子１５に記憶させる。本実施の形態における検査対称データはテキストデータである。記憶素子１５に記憶された検査対象データは、検査対象データの送信後に削除される。
【００７３】
つまり、記憶素子１５は、電気機器である空気調和機１の構成を示す構成データ及び／又は空気調和機１がそれに従って作動すべき設定データを含む検査対象データを記憶する記憶手段として機能する。
【００７４】
図４は、空気調和機１の制御部１０が実行する検査処理及び検査処理の実行時に通信装置２のＣＰＵ２０が実行するデータ表示処理の手順を示すフローチャートである。
【００７５】
空気調和機１の制御部１０は、操作部１８から制御部１０に、検査開始命令に関連付けられている操作信号が入力（検査開始命令が入力）されたか否かを判定し（Ｓ１１）、入力されていない場合は（Ｓ１１でＮＯ）、入力されるまで待機する。
【００７６】
検査開始命令が入力された場合（Ｓ１１でＹＥＳ）、制御部１０は、検査対象データを生成して、記憶素子１５に記憶させる（Ｓ１２）。更に、制御部１０は、記憶素子１５に記憶された検査対象データを読み出して（Ｓ１３）、読み出した検査対象データを通信装置２へ送信し（Ｓ１４）、検査処理を終了する。
【００７７】
通信装置２のＣＰＵ２０は、検査対象データを受信したか否かを判定する（Ｓ２１）。具体的には、ＣＰＵ２０は、外部からデータを受信したか否かを判定し、データを受信した場合、受信したデータが空気調和機１から送信された所定のフォーマットを有する検査対象データであるか否かを判定する。検査対象データを受信していない場合（Ｓ２１でＮＯ）、ＣＰＵ２０は受信するまで待機する。また、検査対象データを受信した場合（Ｓ２１でＹＥＳ）、ＣＰＵ２０は、受信した検査対象データをＲＡＭ２２に記憶させる（Ｓ２２）。
【００７８】
以下では、受信した検査対象データの全てを表示部２３に表示することができない場合を説明する。
【００７９】
ＣＰＵ２０は、ＲＡＭ２２に記憶された検査対象データの一部（例えば検査対象データの冒頭）を読み出し（Ｓ２３）、読み出した検査対象データを表示部２３に表示させる（Ｓ２４）。
【００８０】
次いで、ＣＰＵ２０は、操作部２４からＣＰＵ２０に、方向キーに関連付けられている操作信号が入力（方向キーが入力）されたか否かを判定し（Ｓ２５）、入力された場合（Ｓ２５でＹＥＳ）、処理をＳ２３へ戻し、入力された方向キーに応じて、ＲＡＭ２２に記憶された検査対象データの一部（例えば検査対象データの冒頭の続き）を読み出し、Ｓ２４にて、読み出した検査対象データを表示部２３に表示させる。以下、Ｓ２５にて方向キーが入力される都度、Ｓ２３及びＳ２４の処理を繰り返す。
【００８１】
この場合、表示部２３には、検査作業者による操作部２４の操作に応じて検査対象データが停止表示又はスクロール表示される。
【００８２】
方向キーが入力されていない場合（Ｓ２５でＮＯ）、ＣＰＵ２０は、操作部２４からＣＰＵ２０に、検査終了命令に関連付けられている操作信号が入力（検査終了命令が入力）されたか否かを判定し（Ｓ２６）、入力されていない場合（Ｓ２６でＮＯ）、処理をＳ２５へ戻す。検査終了命令が入力された場合（Ｓ２６でＹＥＳ）、ＣＰＵ２０は、表示部２３における検査対象データの表示を終了し、また、ＲＡＭ２２に記憶してある検査対象データを消去して、データ表示処理を終了する。
【００８３】
このような検査処理において、Ｓ１４における制御部１０は、記憶手段が記憶している検査対象データを通信装置２へ送信する送信手段として機能する。
【００８４】
以上のような検査用通信システム５を用いる場合、検査作業者は、製造現場にて、検査すべき空気調和機１に通信装置２を接続し、操作部１８を用いて空気調和機１に検査開始命令を入力することによって、空気調和機１から検査対象データを通信装置２にダウンロードする。この場合、通信装置２の表示部２３に検査対象データが表示され、検査作業者は、図１に示すような表示部２３に表示される検査対象データを視認して、視認した検査対象データに基づいて、検査対象の正否を判断する。
【００８５】
例えば、空気調和機１が、第１設定スイッチ及び第２設定スイッチを両方とも備えている必要がある場合、表示部２３に、第１設定スイッチが「有」、第２設定スイッチが「無」と表示されているとき、検査作業者は、検査対象である空気調和機１に第２設定スイッチが備えられていないか、接続不良が生じていると判断し、この結果、検査対象である空気調和機１は不良品であると判断する。また、検査作業者は、表示部２３に表示されている検査対象データに問題がないと判断した場合、検査対象である空気調和機１は良品であると判断する。
【００８６】
以上のような検査用通信システム５によれば、通信装置２の表示部２３に、空気調和機１から送信された空気調和機１の検査対象データを表示させることができる。また、表示部２３は、ＬＥＤのような表示素子に比べて、表示可能な情報量が多い。つまり、検査作業者は、表示部２３を用いて、多量の検査対象データを同時的に視認することができる。このため、検査作業者による検査効率を向上させることができる。
【００８７】
更に、空気調和機１外部の通信装置２が表示部２３を備えるため、空気調和機１に表示部２３を設ける必要がなく、空気調和機１の大型化、及びコストの増大を防止することができる。更に、空気調和機１の検査完了後は、空気調和機１のみを出荷すれば良いため、空気調和機１のユーザが、不要な通信装置２を管理する必要がなく、更にまた、一つの空気調和機１の検査に用いた通信装置２を他の空気調和機１の検査に用いることができる。
【００８８】
なお、第１仕様（第２仕様、第３仕様）の空気調和機１の記憶素子１５に、第１仕様用（第２仕様用、第３仕様用）の設定データのみを予め記憶してあり、設定データを選択スイッチで選択する必要がない構成でも良い。この場合、図４に示す検査処理で設定データから検査対象データを生成せず（Ｓ１２の処理を行なわず）、Ｓ１１でＹＥＳの場合に、Ｓ１３で記憶素子１５から設定データを読み出して、Ｓ１４で読み出した設定データを検査対象データとして送信する構成でも良い。
【００８９】
また、通信装置２がＣＰＵ２０を備えない構成でも良い。この場合、通信装置２における検査対象データの表示処理は、空気調和機１０の制御部１０が制御する。更に、空気調和機１のリモコンを通信装置２として用いる構成でも良い。
【００９０】
実施の形態  ２．
図５は、本発明の実施の形態２に係る検査用通信システム５の構成を示すブロック図である。本実施の形態における検査用通信システム５が備える通信装置２は、実施の形態１の検査用通信システム５が備える通信装置２とは異なり、ＥＥＰＲＯＭを用いてなる記憶素子２６を備える。その他、実施の形態１に対応する部分には同一符号を付してそれらの説明を省略する。
【００９１】
検査作業者は、製造現場にて、通信ケーブル６を用いて、検査すべき空気調和機１に通信装置２を接続し、操作部１８を用いて空気調和機１に検査開始命令を入力することによって、空気調和機１から検査対象データを通信装置２にダウンロードする。次いで、例えば製造現場が狭いため、空気調和機１に通信装置２を接続したまま検査を行なうことが困難である場合、検査作業者は、通信ケーブル６を通信装置２から外して広い場所へ移動する。つまり、検査作業者は、検査対象データのダウンロード後は、通信装置２単体で検査を行なう。
【００９２】
通信装置２のＣＰＵ２０は、通信ケーブル６を介して空気調和機１に接続している場合に検査対象データを受信し、受信した検査対象データを記憶素子２６に記憶させる。つまり、記憶素子２６は、受信した検査対象データを記憶する記憶部として機能する。
【００９３】
次いで、ＣＰＵ２０は、通信装置２が空気調和機１に接続しているか否かにかかわらず、操作部２４からデータ表示命令が入力されたときに、記憶素子２６に記憶された検査対象データを読み出し、読み出した検査対象データを表示部２３に表示させる。
【００９４】
図６は、空気調和機１の制御部１０が実行する検査処理及び検査処理の実行時に通信装置２のＣＰＵ２０が実行するデータ記憶処理の手順を示すフローチャートである。
【００９５】
図６に示す検査処理のＳ３１〜Ｓ３４の処理は、図４に示す検査処理のＳ１１〜Ｓ１４の処理と同様であるため、詳述は省略する。
【００９６】
通信装置２のＣＰＵ２０は、検査対象データを受信したか否かを判定し（Ｓ４１）、検査対象データを受信していない場合は（Ｓ４１でＮＯ）、受信するまで待機する。また、検査対象データを受信した場合（Ｓ４１でＹＥＳ）、ＣＰＵ２０は、受信した検査対象データを記憶素子２６に記憶させ（Ｓ４２）、データ記憶処理を終了する。
【００９７】
図７は、通信装置２のＣＰＵ２０が実行するデータ表示処理の手順を示すフローチャートである。データ表示処理は、データ記憶処理の完了後に実行される。
【００９８】
ＣＰＵ２０は、操作部２４からＣＰＵ２０に、データ表示命令に関連付けられている操作信号が入力（データ表示命令が入力）されたか否かを判定し（Ｓ５１）、入力されていない場合（Ｓ５１でＮＯ）、入力されるまで待機する。データ表示命令が入力された場合（Ｓ５１でＹＥＳ）、ＣＰＵ２０は、記憶素子２６に記憶された検査対象データの一部（例えば検査対象データの冒頭）を読み出し（Ｓ５２）、読み出した検査対象データを表示部２３に表示させる（Ｓ５３）。
【００９９】
図７に示すデータ表示処理のＳ５４及びＳ５５は、図４に示すＳ２５及びＳ２６の処理と同様であるため、詳述は省略する。
【０１００】
ただし、方向キーが入力された場合（Ｓ５４でＹＥＳ）、処理をＳ５２へ戻し、入力された方向キーに応じて、記憶素子２６に記憶された検査対象データの一部（例えば検査対象データの冒頭の続き）を読み出し、Ｓ５３にて、読み出した検査対象データを表示部２３に表示させる。以下、Ｓ５４にて方向キーが入力される都度、Ｓ５２及びＳ５３の処理を繰り返す。
【０１０１】
この場合、表示部２３には、検査作業者による操作部２４の操作に応じて検査対象データが停止表示又はスクロール表示される。
【０１０２】
また、検査終了命令が入力された場合（Ｓ５５でＹＥＳ）、ＣＰＵ２０は、表示部２３における検査対象データの表示を終了し、データ表示処理を終了する。ただし、記憶素子２６に記憶してある検査対象データは、消去せずに保存しておく。記憶素子２６に記憶してある検査対象データの消去は、例えば、操作部２４からＣＰＵ２０へデータ消去命令が入力された場合、つまり検査作業者が能動的に検査対象データの消去を命じた場合に実行される。
【０１０３】
以上のような検査用通信システム５を用いる場合、検査作業者は、製造現場にて、又は他の場所にて、図１に示すような表示部２３に表示される検査対象データを視認して、視認した検査対象データに基づいて、検査対象の正否を判断する。
【０１０４】
また、検査用通信システム５によれば、検査作業者は、通信装置２にデータ表示命令を繰り返し入力することによって、記憶素子２６に記憶してある検査対象データを表示部２３に繰り返し表示させることができる。更に、通信装置２の表示部２３における検査対象データの表示を、検査対象データの受信直後に行なう必要がないため、検査作業者は、空気調和機１の製造現場の状況、検査の手順等に応じて、任意のタイミングで検査を行なうことができる。この結果、検査作業者の利便性が向上される。更に、検査対象データの保存も容易である。
【０１０５】
なお、一つの空気調和機１から検査対象データを通信装置２にダウンロードし、ダウンロードした検査対象データを表示させることなく他の空気調和機１から検査対象データを通信装置２にダウンロードすることを繰り返すことによって、検査作業者は、複数台の空気調和機１，１，…から通信装置２に検査対象データを順次ダウンロードしても良い。この場合、検査対象データには各空気調和機１の識別情報も含めておくことが好ましい。検査対象者は、全ての空気調和機１，１，…からのダウンロード完了後に、記憶素子２６に記憶してある各空気調和機１の検査対象データを表示部２３に表示させて、空気調和機１，１，…の検査を順次行なう。
【０１０６】
また、通信装置２に記憶素子２６を備える代わりに、メモリカードのような記録媒体に対してデータを読み書きする外部記憶部を備えても良い。この場合、検査対象データは記録媒体に記憶されるため、記録媒体を取り替えることによって、大量の検査対象データを記憶し、記録媒体に記録してある状態で検査対象データを保存しておくことができる。
【０１０７】
また、空気調和機１と通信装置２とを直接的に接続しない構成でも良い。例えば、空気調和機１にメモリカードのような記録媒体を接続し、接続されている記録媒体に空気調和機１が検査対象データを書き込み、次に、記録媒体を空気調和機１から外して通信装置２に接続し、接続されている記録媒体から通信装置２が検査対象データを読み込んで、読み込んだ検査対象データを表示する構成でも良い。
【０１０８】
実施の形態  ３．
図８は、本発明の実施の形態３に係る検査用通信システム５の構成を示すブロック図である。本実施の形態における検査用通信システム５は、実施の形態１，２における検査用通信システム５とは異なり、通信装置２の代わりに、通信装置３を備える。
【０１０９】
通信装置３はノート型のパーソナルコンピュータを用いてなり、ＣＰＵ３０、ＲＯＭ３１、ＲＡＭ３２等を備える。
【０１１０】
通信装置３は、液晶パネルを用いてなる矩形の表示部３３と、ハードディスクを用いてなる記憶部３６とを備える。
【０１１１】
ＣＰＵ３０は通信装置３の制御中枢であり、バス又は信号線を介して、ＲＯＭ３１、ＲＡＭ３２等、通信装置３の各部に接続されている。ＣＰＵ３０はＲＯＭ３１及び／又は記憶部３６に記憶された制御プログラム及びデータに従って各部を制御し、ＲＡＭ３２を作業領域として用いて各種処理を実行する。
【０１１２】
通信装置３の操作部３４は、方向キーを有するキーボード、マウス等の入力デバイスを用いてなり、検査作業者は、これらの入力デバイスを操作して、通信装置３に各種の作動命令を入力する。ＣＰＵ３０は、操作部３４を用いて作動命令が入力された場合、入力された作動命令に従って各部を制御する。
【０１１３】
通信装置３のＩ／Ｆ３５は、通信ケーブル６を介して通信装置３と空気調和機１とを接続するインタフェースである。つまり、通信装置３は有線で空気調和機１に接続されている。ＣＰＵ３０は、Ｉ／Ｆ３５を介して、空気調和機１へ検査基準データ（後述）を送信し、また、空気調和機１から送信された比較結果データ（後述）を受信する。受信した比較結果データは、ＲＡＭ３２に記憶され、ＲＡＭ３２に記憶された比較結果データが読み出されて、表示部３３に表示される。ここで、表示部３３に、ＲＡＭ３２に記憶してある比較結果データを全て表示することができない場合、操作部３４におけるキー操作に応じて、表示部３３にて比較結果データがスクロール表示される。なお、比較結果データを記憶部３６に記憶させる構成でも良い。
【０１１４】
外部記憶部３７はＣＤ−ＲＯＭドライブであり、ＣＰＵ３０に制御されて、検査基準データと、検査基準データの送信及び受信した比較結果データの表示夫々をＣＰＵ３０に実行させるコンピュータプログラムとを記憶してあるＣＤ−ＲＯＭからコンピュータプログラムと検査基準データとを読み込む。読み込まれたコンピュータプログラムと検査基準データとは、記憶部３６に記憶される。
【０１１５】
ここで、検査基準データとは、空気調和機１が生成する検査対象データに対する比較基準となるテキストデータである。検査基準データは、所要の空気調和機１（機器）の構成を示す構成データ及び／又は所要の空気調和機１（機器）がそれに従って作動すべき設定データを含み、図３に示すように、データのアドレスとデータの内容とが関連付けられたフォーマットを有する。良品の空気調和機１の検査対象データは検査基準データに一致し、不良品の空気調和機１の検査対象データは検査基準データに一致しない。
【０１１６】
検査作業者は、予め通信装置３の記憶部３６に、良品の空気調和機１に係る検査基準データを記憶させておく。次に、検査作業者は、空気調和機１の組み立て完了後、空気調和機１に通信装置３を接続し、空気調和機１及び通信装置３の電源をオン状態にして、通信装置３の操作部３４を用い、検査開始命令を空気調和機１に入力する。この場合、通信装置３から空気調和機１へ、検査基準データが送信される。
【０１１７】
空気調和機１の制御部１０は、Ｉ／Ｆ１４を介して検査基準データを受信し、受信した検査基準データを記憶素子１５に記憶させる。また、制御部１０は、Ｉ／Ｆ１４を介して、記憶素子１５に記憶してある比較結果データを送信する。
【０１１８】
空気調和機１の制御部１０は、検査基準データを受信した場合に、記憶素子１５に予め記憶してある設定データ、並びに、生成した構成データ及び設定データを用いて、検査対象データを生成して、記憶素子１５に記憶させる。更に、制御部１０は、検査対象データに含まれる各設定データ及び各構成データ夫々が、受信した検査基準データに含まれる各設定データ及び各構成データに一致するか否かを判定することによって、検査対象データと検査基準データとを比較する。更にまた、制御部１０は、検査対象データと検査基準データとの比較結果、即ち検査対象データと検査基準データとが一致するか否かを示す比較結果データ（比較結果）を生成する。
【０１１９】
比較結果データには、設定データ毎、及び構成データ毎に、一致したか否かの比較結果が含まれる。また、記憶素子１５に記憶された検査対象データ及び比較結果データは、比較結果データの送信後に削除される。なお、全ての設定データ及び構成データ夫々が一致した場合、検査対象データが検査基準データに一致したことのみを示す比較結果データを生成しても良い。
【０１２０】
その他、実施の形態１に対応する部分には同一符号を付してそれらの説明を省略する。
【０１２１】
図９は、通信装置３のＣＰＵ３０が実行する機器検査処理及び機器検査処理の実行時に空気調和機１の制御部１０が実行する検査実行処理の手順を示すフローチャートである。
【０１２２】
通信装置３のＣＰＵ３０は、操作部３４から検査開始命令が入力されたか否かを判定し（Ｓ７１）、入力されていない場合は（Ｓ７１でＮＯ）、入力されるまで待機する。
【０１２３】
検査開始命令が入力された場合（Ｓ７１でＹＥＳ）、ＣＰＵ３０は、記憶部３６から検査基準データを読み出し（Ｓ７２）、読み出した検査基準データを空気調和機１へ送信する（Ｓ７３）。Ｓ７３の処理完了後、ＣＰＵ３０は、比較結果データを受信したか否かを判定し（Ｓ７４）、受信していない場合（Ｓ７４でＮＯ）、受信するまで待機する。
【０１２４】
空気調和機１の制御部１０は、検査基準データを受信したか否かを判定し（Ｓ８１）、受信していない場合は（Ｓ８１でＮＯ）、受信するまで待機する。
【０１２５】
検査基準データを受信した場合（Ｓ８１でＹＥＳ）、制御部１０は、受信した検査基準データを記憶素子１５に記憶させる（Ｓ８２）。次いで、制御部１０は検査対象データを生成して、記憶素子１５に記憶させる（Ｓ８３）。更に、制御部１０は、記憶素子１５に記憶された検査対象データ及び検査基準データを読み出し（Ｓ８４）、読み出した検査対象データ及び検査基準データを比較し（Ｓ８５）、比較結果データを生成して、記憶素子１５に記憶させる（Ｓ８６）。更に詳細には、Ｓ８４〜Ｓ８６の処理は、検査対象データ及び検査基準データの対応するアドレスに含まれる設定データ（又は構造データ）の読み出しと、読み出した設定データ（又は構造データ）が一致するか否かの判定と、判定結果の生成及び記憶とを、全ての設定データ及び構造データに対して繰り返す処理である。
【０１２６】
比較結果データの生成及び記憶の完了後、制御部１０は、記憶素子１５に記憶してある比較結果データを読み出し（Ｓ８７）、読み出した比較結果データを通信装置３へ送信して（Ｓ８８）、検査実行処理を終了する。
【０１２７】
通信装置３のＣＰＵ３０は、比較結果データを受信した場合（Ｓ７４でＹＥＳ）、受信した比較結果データをＲＡＭ３２に記憶させる（Ｓ９１）。
【０１２８】
以下では、受信した比較結果データの全てを表示部３３に表示することができない場合を説明する。
【０１２９】
ＣＰＵ３０は、ＲＡＭ３２に記憶された比較結果データの一部（例えば比較結果データの冒頭）を読み出し（Ｓ９２）、読み出した比較結果データを表示部３３に表示させる（Ｓ９３）。
【０１３０】
次いで、ＣＰＵ３０は、方向キーが入力されたか否かを判定し（Ｓ９４）、入力された場合（Ｓ９４でＹＥＳ）、処理をＳ９２へ戻し、入力された方向キーに応じて、ＲＡＭ３２に記憶された比較結果データの一部（例えば比較結果データの冒頭の続き）を読み出し、Ｓ９３にて、読み出した比較結果データを表示部３３に表示させる。以下、Ｓ９４にて方向キーが入力される都度、Ｓ９２及びＳ９３の処理を繰り返す。
【０１３１】
この場合、表示部３３には、検査作業者による操作部３４の操作に応じて比較結果データが停止表示又はスクロール表示される。
【０１３２】
方向キーが入力されていない場合（Ｓ９４でＮＯ）、ＣＰＵ３０は、操作部３４から検査終了命令が入力されたか否かを判定し（Ｓ９５）、入力されていない場合（Ｓ９５でＮＯ）、処理をＳ９４へ戻す。検査終了命令が入力された場合（Ｓ９５でＹＥＳ）、ＣＰＵ３０は、表示部３３における比較結果データの表示を終了し、また、ＲＡＭ３２に記憶してある比較結果データを消去して、機器検査処理を終了する。
【０１３３】
このような機器検査処理において、Ｓ７３におけるＣＰＵ３０は、記憶部３６に記憶してある検査基準データを空気調和機１へ送信するデータ送信手段として機能する。また、検査実行処理において、Ｓ８６における制御部１０は、空気調和機１の構成を示す構成データ及び／又は空気調和機１がそれに従って作動すべき設定データを含む検査対象データ、及び受信した検査基準データを比較する比較手段として機能し、Ｓ８８における制御部１０は、比較手段が比較した比較結果を通信装置３へ出力する出力手段として機能する。
【０１３４】
以上のような検査用通信システム５を用いる場合、検査作業者は、製造現場にて、検査すべき空気調和機１に通信装置３を接続し、操作部３４を用いて通信装置３に検査開始命令を入力することによって、通信装置３から検査基準データを空気調和機１にアップロードする。この後、通信装置３の表示部３３に比較結果データが表示され、検査作業者は、表示部３３に表示される比較結果データを視認して、視認した比較結果データに基づいて、検査対象の正否、引いては空気調和機１の正否を判断する。
【０１３５】
以上のような検査用通信システム５によれば、空気調和機１が、検査対象データと、通信装置３から受信した検査基準データとを比較し、比較結果データを出力することができる。このため、検査作業者は、検査対象データと検査基準データとを検査作業者自身が比較して、比較結果に応じて検査対象の正否を判断する必要がなく、空気調和機１が出力し通信装置３の表示部３３に表示された比較結果データに応じて検査対象の正否を判断することができる。この結果、検査作業者の検査工程を減少させることができ、検査作業者の利便性、及び検査精度を向上させることができる。
【０１３６】
また、空気調和機１の検査完了後は、空気調和機１のみを出荷すれば良いため、空気調和機１のユーザが、不要な通信装置３を管理する必要がなく、更に、検査作業者は、一つの空気調和機１の検査に用いた通信装置３を他の空気調和機１の検査に用いることができる。
【０１３７】
更にまた、検査基準データは通信装置３が空気調和機１へ送信するため、空気調和機１が検査基準データを予め記憶しておく必要がない。このため、空気調和機１が備える記憶素子１５の記憶容量を検査基準データの分だけ増大させる必要がなく、また、検査基準データを予め記憶してある記憶素子１５を空気調和機１の個数分だけ準備する必要もない。
【０１３８】
また、表示部３３は、ＬＥＤのような表示素子に比べて、表示可能な情報量が多い。しかも、空気調和機１外部の通信装置３が表示部３３を備えるため、空気調和機１に表示部３３を設ける必要がなく、空気調和機１の大型化、及びコストの増大を防止することができる。
【０１３９】
更に、検査作業者は、空気調和機１と通信装置３との接続後は、通信装置３のみを操作すれば良く、空気調和機１を直接的に操作する必要がない。このため、検査作業者の利便性が向上されている。
【０１４０】
更にまた、通信装置３は、記憶部３６に記憶する検査基準データを変更することによって、異なる種類の空気調和機１に対応することができる。
【０１４１】
なお、空気調和機１から通信装置３へ検査対象データを送信し、通信装置３のＣＰＵ３０が、受信した検査対象データと、記憶部３６に記憶してある検査基準データとを比較し、比較結果を表示部３３に表示させる構成でも良い。
【０１４２】
本実施の形態１〜３においては、検査用通信システム５を空気調和機１に適用する構成を例示したが、これに限らず、空気調和機１以外の電気機器に適用する構成でも良い。また、空気調和機１と通信装置２，３とを無線で接続する構成でも良い。
【図面の簡単な説明】
【０１４３】
【図１】本発明の実施の形態１に係る検査用通信システムの構成を説明する模式図である。
【図２】本発明の実施の形態１に係る検査用通信システムの構成を示すブロック図である。
【図３】本発明の実施の形態１に係る検査用通信システムが備える空気調和機の記憶素子に記憶してある検査対象データの一例を示す概念図である。
【図４】本発明の実施の形態１に係る検査用通信システムが備える空気調和機の検査処理及び通信装置のデータ表示処理の手順を示すフローチャートである。
【図５】本発明の実施の形態２に係る検査用通信システムの構成を示すブロック図である。
【図６】本発明の実施の形態２に係る検査用通信システムが備える空気調和機の検査処理及び通信装置のデータ記憶処理の手順を示すフローチャートである。
【図７】本発明の実施の形態２に係る検査用通信システムが備える通信装置のデータ表示処理の手順を示すフローチャートである。
【図８】本発明の実施の形態３に係る検査用通信システムの構成を示すブロック図である。
【図９】本発明の実施の形態３に係る検査用通信システムが備える通信装置の機器検査処理及び空気調和機の検査実行処理の手順を示すフローチャートである。
【符号の説明】
【０１４４】
１  空気調和機（電気機器）
１５  記憶素子（記憶手段）
２，３  通信装置
２０，３０  ＣＰＵ
２３，３３  表示部
２６  記憶素子
３６  記憶部
５  検査用通信システム
【図１】
2006226612.tif 000003
【図２】
2006226612.tif 000004
【図３】
2006226612.tif 000005
【図４】
2006226612.tif 000006
【図５】
2006226612.tif 000007
【図６】
2006226612.tif 000008
【図７】
2006226612.tif 000009
【図８】
2006226612.tif 000010
【図９】
2006226612.tif 000011